(57)【要約】【課題】  家具の取り付けを含む内装工事を効率よく施工することができる家具の取り付け方法を提供する。【解決手段】  間仕切り壁が形成されていない状態で、所定の家具設置位置に家具用台輪３を載置する。家具用台輪３には、台輪用アジャスタ１２が設けられており、台輪用アジャスタ１２によって、家具本体１が床板８の高さに対応する高さとなるように調整する。それから、家具用台輪３の周囲に柱４を立設する。その後、家具用台輪３の上に家具本体１を設置する。そして、家具本体１の周囲に軽量型工材およびプラスターボードを施工して、間仕切り壁２を完成させる。【選択図】  図１
2005261741.tif 000002
【特許請求の範囲】
【請求項１】
高さ調整用アジャスタが設けられた家具用台輪を建物における床スラブ上に載置し、前記高さ調整用アジャスタにより、前記家具用台輪の高さを、前記床スラブに設けられる床部材の高さ位置に対応するように調整し、
前記家具用台輪の上に家具本体を設けた後、
前記家具本体の周囲における間仕切り壁を施工することを特徴とする建物における家具の取り付け方法。
【請求項２】
前記家具用台輪の上に前記家具を設けた後、前記家具本体の周囲における前記壁部形成部材を施工する位置であり、前記床スラブと天井スラブとの間に支持用柱を取り付け、
その後、前記間仕切り壁を施工する請求項１に記載の建物における家具の取り付け方法。
【請求項３】
前記家具本体に付随する付属部材を設けた後、前記家具本体を前記家具用台輪に設ける請求項１または請求項２に記載の建物における家具の取り付け方法。
【発明の詳細な説明】
【技術分野】
【０００１】
本発明は、建築中の建物に家具を取り付ける家具の取り付け方法に関する。
【背景技術】
【０００２】
建物に設けられる家具は、たとえば部屋の内装を行うと同時に部屋内に取り付けられることがある。このように、部屋の内装と同時に部屋内に家具を取り付ける場合、従来、部屋の内装を行うにあたり、家具を取り付けるスペースを空けておいて、間仕切り壁や床などを施工する。その後、所定のスペースに家具を取り付け、最後に化粧面を形成するようにしていた。
【０００３】
また、従来における家具としては、たとえば特開平１１−３３２６８２号公報（特許文献１）に開示された遮音構造を有する家具や、特開２０００−４９６５号公報（特許文献２）に開示された収納間仕切りユニットなどがある。
【特許文献１】特開平１１−３３２６８２号公報
【特許文献２】特開２０００−４６９５号公報
【発明の開示】
【発明が解決しようとする課題】
【０００４】
しかし、上記の家具の取り付け方法では、壁などの間仕切りを形成した後、家具取り付け作業を行っている。このため、間仕切りを形成した後でなければ、家具の取り付け作業を行うことができないため、作業待ちの状態が長く、作業途中での工程に空きが生じてしまい、内装工事の施工効率が低いという問題があった。
【０００５】
そこで、本発明の課題は、家具の取り付けを含む内装工事を効率よく施工することができる家具の取り付け方法を提供することにある。
【課題を解決するための手段】
【０００６】
上記課題を解決した本発明に係る家具の取り付け方法は、高さ調整用アジャスタが設けられた家具用台輪を建物における床スラブ上に載置し、高さ調整用アジャスタにより、家具用台輪の高さを、床スラブに設けられる床部材の高さ位置に対応するように調整し、家具用台輪の上に家具本体を設けた後、家具本体の周囲における壁部形成部材を施工することを特徴とするものである。
【０００７】
本発明に係る家具の取り付け方法では、家具本体を設けた後に、壁部形成部材を施工するようにしている。このため、壁部形成部材、たとえば間仕切りを形成する前に、家具本体の施工を行うので、間仕切りを施工するまでの待ち時間がなくなり、作業途中での工程に空きが生じないようにすることができる。したがって、家具の取り付けなど内装工事を効率よく行うことができる。
【０００８】
また、家具本体を設けるにあたり、間仕切りがないと、高さ方向の調整が困難となるが、本発明では、家具本体を設けるにあたり、高さ調整用アジャスタが設けられた家具用台輪の上に家具本体を設けている。このため、家具本体の高さ調整を容易に行うことができる。
【０００９】
ここで、家具用台輪の上に家具本体を設けた後、家具本体の周囲における壁部形成部材を施工する位置であり、床スラブと天井スラブとの間に支持用柱を取り付け、その後、壁部形成部材を施工する態様とすることができる。
【００１０】
このように、床スラブと天井スラブとの間に、支持用柱を取り付けることにより、壁部形成部材を施工する際に、家具本体を確実に設けた状態としておくことができる。さらには、壁部形成部材の施工が完了した後の家具本体の支持をより確実なものとすることができる。
【００１１】
また、家具本体に付随する付属部材を設けた後、家具本体を家具用台輪に設ける態様とすることもできる。
【００１２】
このように、家具本体に付随する付属部材、たとえば断熱材や遮音壁などを設け、その後に家具本体を設ける場合にも、内装工事を効率よく行うことができる。
【発明の効果】
【００１３】
本発明によれば、家具の取り付けを含む内装工事を効率よく施工することができる家具の取り付け方法を提供することができる。
【発明を実施するための最良の形態】
【００１４】
以下、図面を参照して、本発明の好適な実施形態について説明する。なお、各実施形態において、同一の機能を有する部分については同一の符号を付し、重複する説明は省略することがある。
【００１５】
図１は、本発明の実施形態によって施工された家具の斜視図、図２はその側断面図である。図１および図２に示すように、本実施形態に係る取り付け方法によって取り付けられた家具Ｍは、家具本体１を備えている。家具本体１は、建物における間仕切りを行う、いわゆる間仕切り家具であり、その背面、側面、および表面を囲む位置には、それぞれ間仕切り壁２が形成されている。間仕切り壁２は、軽量型工材を有しており、この軽量型工材の表面にプラスターボードが貼着されることによって形成されている。
【００１６】
家具本体１は、家具用台輪３の上に載置されている。また、家具本体１の周囲には、本発明の支持用柱である木製の柱４が設けられており、各柱４の頂部には、柱の高さを調整する柱高さ調整用アジャスタ（以下「柱用アジャスタ」という）５が設けられている。
【００１７】
家具用台輪３は、台輪本体１１を備えており、台輪本体１１の底面には、本発明の高さ調整用アジャスタである台輪用高さ調整アジャスタ（以下「台輪用アジャスタ」という）１２とを備えている。台輪本体１１は、家具本体１を平面視した矩形状と略同一の平面矩形状をなしており、その底面側における四隅および前後の辺における中央位置の合計６箇所に、それぞれ台輪用アジャスタ１２をねじ込むための雌ネジ１３が形成されている。
【００１８】
台輪用アジャスタ１２には、雌ネジ１３に対してねじ込み可能とされた雄ネジ１４が形成されている。この雄ネジ１４が雌ネジ１３にねじ込まれることにより、台輪用アジャスタ１２が台輪本体１１に固定される。また、雌ネジ１３に対する雄ネジ１４のねじ込み量を調整することにより、台輪用アジャスタ１２の高さを調整することができる。
【００１９】
台輪用アジャスタ１２は、建物における床スラブ６上に設置されている。このように、家具本体１は、床スラブ６の上に設置された家具用台輪３の上に載置されて、床スラブ６上に設置されている。さらに、家具本体１は、ピン１５によって家具用台輪３に固定されている。
【００２０】
また、家具本体１の平面視した四周の各角部および裏面側中央部には、柱４が設けられており、合計で５本の柱４が設けられている。これらの柱４のすべてにおける頂部に柱用アジャスタ５が取り付けられている。柱４は、床スラブ６と天井スラブ７との間に配置されており、柱用アジャスタ５で長さを調整することにより、柱４が床スラブ６と天井スラブ７との間で突っ張った状態とされている。家具本体１は、ピン１６によって、柱４を貫通して間仕切り壁２に固定されている。
【００２１】
さらに、家具本体１の裏面側に配置された３本の柱４と家具本体１との間には、本発明の付属部材である遮音断熱壁２０が設けられている。遮音断熱壁２０は、柱４と梁部材との間にグラスウールを充填されて形成された断熱部２１を備えている。この断熱部２１の表面には、ボードの表面に遮音材が貼り付けられて形成された遮音壁２２が設けられている。この断熱部２１と遮音壁２２によって、遮音断熱壁２０が形成されている。
【００２２】
また、家具が設けられた床スラブ６上には、床板８が取り付けられている。床板８は、床スラブ６からある程度の離間した上方位置に配置されており、家具本体１の下方に設けられている家具用台輪３における台輪本体１１の高さ方向中央位置と略同じ高さ位置において平面状に形成されている。
【００２３】
以上の構成を有する本実施形態に係る家具の取り付け方法について説明する。
【００２４】
まず、図３に示すように、建物が設けられた時点で、各部屋の間仕切りがされていない状態から施工を開始する。この例では、家具は建物の躯体壁Ｗに沿って配置され、家具の取り付けの前に、すでに図示しないユニットバスが設けられた状態にある。また、ユニットバスには、配管が施された状態にある。本実施形態では、このユニットバスに隣接した位置に、間仕切り壁を挟んで家具が配置される。
【００２５】
また、家具の設置位置の隅だしは完了して、基準隅が決められている。さらに、いまだ間仕切り壁が形成されておらず、資材の搬入などが容易な状況にあるので、家具および間仕切り壁を設ける前に、各部屋にパネル材などの資材を搬入しておく。
【００２６】
このように、家具が設けられていない状態から、図３に示すように、家具を設ける位置に、家具用台輪３を設置する。家具用台輪３を設置する際には、６本の台輪用アジャスタ１２が台輪本体１１から突出する長さがある程度揃うようにしておき、家具用台輪３を床スラブ６上における所定の設置位置に載置し、家具用台輪３を仮置きしておく。このとき、家具用台輪３によってユニットバス用の配管をまたぐようにしておく。また、家具用台輪３の高さは、後に設けられる床板８の高さに対応する高さとなるように、台輪用アジャスタ１２によって調整しておく。
【００２７】
家具用台輪３を仮置きしたら、すでに隅だしされた基準隅から位置を追い出し、陸隅を基にして高さ調整を行う。高さ調整は、水平レーザを用いて行い、家具用台輪３における家具を載置する面が所定の高さ位置に水平に配置されるように、各台輪用アジャスタ１２のねじ込み長さを調整する。このようにして、仮置きした状態の家具用台輪３の設置を完了する。
【００２８】
家具用台輪３の設置が完了したら、図４に示すように、前面一端側に１本の柱４を立設し、背面側左右位置および中央位置に、それぞれ柱４を立設し、合計で４本の柱４を立設する。柱４を立設する際には、まず、手前の柱４を立設する。このとき、柱用アジャスタ５を柱４の頂部からわずかに突出した状態で、柱４を床スラブ６と天井スラブ７（図２）との間に配置する。それから、柱用アジャスタ５を回転させ、その突出量を多くしていくことにより、最終的に、床スラブ６と天井スラブ７との間に、柱４が柱用アジャスタ５を介して突っ張った状態で配置し、仮固定する。
【００２９】
こうして、手前側の柱４が立設されたら、同様の方法により、家具用台輪３の背面側における３本の柱４も床スラブ６と天井スラブ７との間に突っ張った状態で配置し、仮固定する。このようにして、図４に示すように、家具用台輪３の周囲に、４本の柱４が仮固定した状態で立設される。
【００３０】
４本の柱４を仮固定した状態で立設したら、続いて、家具用台輪３の背面側に立設された３本の柱４の間に、図示しない梁を掛け渡し、柱４および梁の間に、グラスウールを充填して、断熱部２１を形成する。その表面に遮音壁２２を貼り付け、図５に示す遮音断熱壁２０を設ける、この断熱部２１により室内の断熱効果を高めている。また、遮音壁２２にことにより、ユニットバスから、家具が設けられた部屋に伝わる音が防音される。遮音断熱壁２０を設けたら、図６に示すように、家具用台輪３の上に、家具本体１を設ける。本実施形態では、家具としていわゆるノックダウン方式のものを用いており、家具用台輪３の上で家具本体１を組み立てる。
【００３１】
家具本体１の組み立てを行う際には、まず、地板を取り付け、地板の上における両側方に側板を立設し、続いて地板の上における背面側に背板を立設する。その後、内部に仕切り板を設け、さらに、両側板および背板の上に天板を設け、最後に固定棚を取り付ける。こうして、家具本体１の組み立てが完了する。ここで、家具本体１を組み立てる際に、家具本体１の周囲に間仕切り壁はいまだ形成されていない状態にあるので、家具本体１の組み立てを容易に行うことができる。
【００３２】
家具用台輪３の上に家具本体１を設けたら、家具本体１の開口部にケーシングを取り付ける。その後、図７に示すように、家具本体１における前面他端側に柱４を、他の柱４と同様にして仮固定された状態で立設する。こうして、５本の柱４が仮固定された状態で、垂直レーザを用いて、各柱４における柱用アジャスタ５を調整することによって建て入れ調整を行い、最終的に柱４によって家具本体１を本固定する。
【００３３】
その後、図８に示すように、家具本体１の側方に間仕切り壁に用いられる軽量型工材３０が施工される。そして、軽量型工材３０にプラスターボードが貼着されることにより、家具本体１の側方における間仕切り壁が設けられる。同様の手順により、家具本体１の背面にも図１に示す間仕切り壁２が形成される。
【００３４】
それから、図９に示すように、家具本体１の開口部を囲むようにして、軽量型工材を配置し、その表面にプラスターボード３１を貼り付ける。このプラスターボード３１および躯体壁Ｗの表面に化粧面を形成することにより、図１に示す間仕切り壁２が形成される。そして、最後に床板８を施工することにより、部屋が完成する。
【００３５】
このように、本実施形態に係る家具の組み立て方法では、間仕切り壁２を施工する前に、家具を取り付けるようにしている。このため、間仕切り壁によって室内が手狭となることがないので、家具の取り付け作業を行う際の作業性を良好なものとすることができる。また、家具などの資材の搬入も容易なものとなる。さらに、間仕切り壁の施工が完了するまで、家具の取り付け作業を待つ必要がないので、内装工事全体を効率的に行うことができる。
【００３６】
以上、本発明の好適な実施形態について説明したが、本発明は上記実施形態に限定されるものではない。たとえば、上記実施形態ではノックダウン方式の家具を用いているが、たとえば工場で組み立てられた家具本体をそのまま家具用台輪上に載置して、家具本体を設ける態様とすることもできる。このように、工場で家具本体を組み立てたものであれば、施工時間の短縮をより有利に図ることができる。
【００３７】
また、上記実施形態では、付属部材として、断熱材を形成した後に遮音材を形成するようにしているが、遮音材を形成した後に断熱材を形成する態様とすることもできる。さらに、上記実施形態では５本の柱を設けているが、４本あるいはそれ以外の数の柱を設ける態様とすることもできる。また、柱を設けることは必須ではなく、たとえば家具本体の周囲に柱を設けない態様とすることもできる。
【図面の簡単な説明】
【００３８】
【図１】本発明の実施形態によって施工された家具の斜視図である。
【図２】本発明の実施形態によって施工された家具の側断面図である。
【図３】本発明の実施形態に係る家具の施工手順の一部を示す斜視図である。
【図４】図３に続く工程の斜視図である。
【図５】図４に続く工程の斜視図である。
【図６】図５に続く工程の斜視図である。
【図７】図６に続く工程の斜視図である。
【図８】図７に続く工程の斜視図である。
【図９】図８に続く工程の斜視図である。
【符号の説明】
【００３９】
１…家具本体
２…壁
３…家具用台輪
４…柱
５…柱用アジャスタ
６…床スラブ
７…天井スラブ
８…床板
１１…台輪本体
１２…台輪用アジャスタ
１３…雌ネジ
１４…雄ネジ
１５，１６…ピン
２０…遮音断熱壁
２１…断熱部
２２…遮音壁
３０…軽量型工材
３１…プラスターボード
Ｍ…家具
Ｗ…躯体壁
【図１】
2005261741.tif 000003
【図２】
2005261741.tif 000004
【図３】
2005261741.tif 000005
【図４】
2005261741.tif 000006
【図５】
2005261741.tif 000007
【図６】
2005261741.tif 000008
【図７】
2005261741.tif 000009
【図８】
2005261741.tif 000010
【図９】
2005261741.tif 000011